(57)【要約】【課題】欄干パネルにおける上下方向位置の調節作業の手間を軽減できる乗客コンベアを提供する。【解決手段】エスカレータ１０は、第１乗降口１２から第２乗降口１４に向かって乗客を搬送する踏段１６の走行路Ｒに沿って欄干パネル２６を支持するとともに欄干パネル２６の上下方向位置を調節する機能を有する欄干パネルの支持機構３０を備え、支持機構３０は、欄干パネル２６が挿し込まれたときに所定の大きさの隙間が欄干パネル３０の底面との間に形成されるパネル受部３２と、パネル受部３２と欄干パネル２６底面との間に挿し込まれるとともに長手方向Ｘに沿って厚みが変化する高さ調整部材５０とを含み、高さ調整部材５０が欄干パネル２６とパネル受部３２との間に挿し込まれる長さを変更することにより欄干パネル２６の上下方向位置を調節可能に構成される。【選択図】図２
2019142709.tif 000002
【特許請求の範囲】
【請求項１】
第１乗降口から第２乗降口に向かって乗客を搬送する無端搬送体の走行路に沿って欄干パネルを支持するとともに前記欄干パネルの上下方向位置を調節する機能を有するパネル支持機構を備える乗客コンベアであって、
前記パネル支持機構は、
前記欄干パネルが挿し込まれたときに所定の大きさの隙間が当該欄干パネル底面との間に形成されるパネル受部と、
前記パネル受部と前記欄干パネル底面との間に挿し込まれるとともに長手方向に沿って厚みが変化する高さ調整部材とを含み、
前記高さ調整部材が前記欄干パネルと前記パネル受部との間に挿し込まれる長さを変更することにより前記欄干パネルの上下方向位置を調節可能に構成された乗客コンベア。
【請求項２】
前記高さ調整部材は、楔状に形成されている、
請求項１に記載の乗客コンベア。
【請求項３】
前記高さ調整部材は、取手が設けられている、
請求項１または２に記載の乗客コンベア。
【請求項４】
前記パネル受部は、
前記欄干パネルが挿し込まれる枠体と、
前記欄干パネル底面と前記枠体との間に挟み込まれることにより前記欄干パネル底面と前記枠体との間に前記隙間を形成する隙間形成部材と、
を含む請求項１〜３のいずれか１項に記載の乗客コンベア。
【発明の詳細な説明】
【技術分野】
【０００１】
本発明は、乗客コンベアに関し、特に、欄干パネルの支持構造に関する。
【背景技術】
【０００２】
乗客コンベア、例えば、エスカレータでは、環状に連結されて循環走行する踏段の両側に、踏段の走行路に沿って列設されてなる複数の欄干パネルを構成部材とする欄干が設置されている。この欄干パネルには、近年においてデザイン性が重視され、ガラス製のものが多く採用されている。
【０００３】
また、欄干パネルは、下端部が固定ブラケットなどによってトラスに固定支持される一方、移動手摺を案内するガイドレールが直接または取り付け部材を介して上端部に取り付けられる。
【０００４】
ところで、上述したように欄干パネルの上端部にはガイドレールを取り付ける必要があり、このガイドレールを設置するため各欄干パネルは隣接するパネル同士の上端の位置に段差が生じないよう上下方向位置を調節して設置する必要がある。
【０００５】
特許文献１には、欄干パネルの下端部を固定保持する保持部本体に上下方向に長い長孔を２つ並べて設け、この長孔に挿し込まれたボルトによってトラス側ブラケットに保持部本体を固定し、このボルトの固定位置を変更することによって欄干パネルの上下方向位置を変更可能とした乗客コンベアが開示されている。
【先行技術文献】
【特許文献】
【０００６】
【特許文献１】特開２０１３−１２４１８１号公報
【発明の概要】
【発明が解決しようとする課題】
【０００７】
上記特許文献１に記載の乗客コンベアでは、トラス側ブラケットに対する保持部本体の上下方向の固定位置を調節するときに欄干パネルが走行路側または外側に傾かないようにトラス側ブラケットに保持部本体をボルト固定する必要がある。このため、欄干パネル上端を隣接する欄干パネル上端と揃えるためボルトを緩めて保持部本体の固定位置を変更する場合には、欄干パネルが傾かないように保持部本体（パネル受部）をトラス側ブラケットに固定しなければならず欄干パネルの上下方向位置の調節作業に手間を要するという問題がある。
【０００８】
本発明では、欄干パネルにおける上下方向位置の調節作業の手間を軽減できる乗客コンベアを提供することを目的とする。
【課題を解決するための手段】
【０００９】
本発明の乗客コンベアは、第１乗降口から第２乗降口に向かって乗客を搬送する無端搬送体の走行路に沿って欄干パネルを支持するとともに欄干パネルの上下方向位置を調節する機能を有するパネル支持機構を備える乗客コンベアであって、パネル支持機構は、欄干パネルが挿し込まれたときに所定の大きさの隙間が欄干パネル底面との間に形成されるパネル受部と、パネル受部と欄干パネル底面との間に挿し込まれるとともに長手方向に沿って厚みが変化する高さ調整部材とを含み、高さ調整部材が欄干パネルとパネル受部との間に挿し込まれる長さを変更することにより欄干パネルの上下方向位置を調節可能に構成されたものである。
【００１０】
本発明の乗客コンベアにおいて、高さ調整部材は、楔状に形成されていてもよい。
【００１１】
また、本発明の乗客コンベアにおいて、高さ調整部材は、取手が設けられていてもよい。
【００１２】
また、本発明の乗客コンベアにおいて、パネル受部は、欄干パネルが挿し込まれる枠体と、欄干パネル底面と枠体との間に挟み込まれることにより欄干パネル底面と枠体との間に隙間を形成する隙間形成部材とを含むものでもよい。
【発明の効果】
【００１３】
本発明の乗客コンベアによれば、高さ調整部材が欄干パネルとパネル受部との間に挿し込まれる長さを変更することにより欄干パネルの上下方向位置を調節することができる。このため、欄干パネルの高さを調整する際に欄干パネルが傾かないようにパネル受部の固定位置を調整する必要が無く、調節作業の手間を軽減することができる。
【図面の簡単な説明】
【００１４】
【図１】本発明の一実施形態であるエスカレータの全体構成図である。
【図２】上記エスカレータを構成する欄干の概略構成を示す断面図と、同断面図に含まれる欄干パネル下端部の周辺構成を示す部分拡大図である。
【図３】図３（ａ）は図２に示すＡ方向から見た欄干パネルを枠体に設置するときの状態を示す図である。図３（ｂ）は、図３（ａ）に示す領域Ｂにおける一部の構成の図示を省略して示すことにより高さ調整部材の設置状態を説明する部分拡大図である。
【図４】図４（ａ）は図２に示す高さ調整部材の正面図である。図４（ｂ）は図４（ａ）に示すＣ方向から見たときの高さ調整部材の側面図である。
【発明を実施するための形態】
【００１５】
本発明の乗客コンベアの一実施形態について図面を参照しながら説明する。図１は、本発明の一実施形態であるエスカレータ１０の全体構成図である。図２は、図１に示すエスカレータ１０を構成する欄干２２−１の概略構成を示す断面図である。なお、図２では、煩雑な図示となることを避けるため一部の断面ハッチングを省略して示している。以下の説明において、トラスの長手方向を「長手方向Ｘ」、トラスの幅方向を「幅方向Ｙ」とし、長手方向Ｘ及び幅方向Ｙに直交する上下方向を「上下方向Ｚ」として説明する。
【００１６】
図１および図２に示すように、エスカレータ１０は、環状に連結されて循環走行し、第１乗降口１２から第２乗降口１４に乗客を走行路Ｒに沿って搬送する無端搬送体である複数の踏段１６−１，１６−２，１６−３（以下、単に「１６」と表記）を有する。また、エスカレータ１０は、図１に示すように走行路Ｒ両側に設置された欄干２２−１，２２−２を構成する複数の欄干パネル２６−１，２６−２，２６−３（以下、区別する必要が無い場合は単に「２６」と表記）と、図２に示す各欄干パネル２６の支持機構３０とを含む。この欄干パネル２６は、例えばガラス製であり、強化板ガラスの片面に飛散防止フィルムが貼着されてなるものである。また、図１に示すように欄干２２−１，２２−２の上端部には各々移動手摺２４−１，２４−２（以下、単に「２４」と表記）が取り付けられている。この移動手摺２４は、図２に示すように欄干パネル２６の上端部に取り付けられたガイドレール２５に移動可能に取り付けられる。
【００１７】
図２に示すように、欄干パネルの支持機構３０は、欄干パネル２６の下端部が取り付けられるパネル受部３２を含む。このパネル受部３２は、欄干パネル２６が挿し込まれる枠体３４を有する。枠体３４は断面が略Ｖ字状に形成された金属製部材であり、走行路Ｒに沿って設けられている。また、枠体３４は、その上端が内側（走行路Ｒ側）および外側に各々折り曲げられてなる内側折り返し部３４ａおよび外側折り返し部３４ｂを有する。
【００１８】
そして、枠体３４は、図２及び図３（ａ）に示すように、ブラケット４０を介してトラス６０（図１参照）の構成部材であるアングル材６２に立設したプレートＰＬに所定間隔ごとにボルトで固定されている。このブラケット４０は、図２に示すように、略Ｖ字状の溝４２を有し、当該溝４２に上方から枠体３４が挿し込まれる。溝４２に設置された枠体３４と溝４２の内側（すなわち、走行路Ｒ側）壁面４２ａとの間には楔ＷＧが配置される。この楔ＷＧは、不図示のボルトによってブラケット４０に固定されており、当該ボルトをねじ込むことにより上下方向Ｚに移動可能に構成される。そして、楔ＷＧを下方に移動させることにより、溝４２の外側壁面４２ｂとの間で枠体３４を挟み込んで固定する。
【００１９】
また、枠体３４の内側折り返し部３４ａは斜め下方に向かって延出し、欄干パネル２６との隙間を塞ぐ断面略Ｓ字状の樹脂製部材３６が枠体３４の全長に亘って取り付けられている。この樹脂製部材３６と、踏段１６の端面に対向配置されたスカートガードＳＧとの間には金属製の内側デッキカバー３８ａが取り付けられる。一方、枠体３４の外側折り返し部３４ｂは、略水平方向に延出しており、ブラケット４０などとともに外部に露出しないように外側デッキカバー３８ｂによって遮蔽される。
【００２０】
パネル受部３２は、図２に示すように、欄干パネル２６と枠体３４との間に挟み込まれる緩衝シート（隙間形成部材）３９を含む。緩衝シート３９は、図２及び図３（ａ）に示すように、隣接する欄干パネル２６−１，２６−２の端部間を跨ぐように配置されたブラケット４０の背面側、換言すると、枠体３４を間に挟んでブラケット４０と欄干パネル２６との間に挟み込まれる位置に配置されている。
【００２１】
この緩衝シート３９は、上述した楔ＷＧの押圧力によって枠体３４が欄干パネル２６−１，２６−２双方の角部を挟み込む際、枠体３４と欄干パネル２６−１，２６−２との間に挟み込まれることによって欄干パネル２６−１，２６−２を圧接状態で固定保持する役割を有する。そして、緩衝シート３９の底面には肉厚部３９ａが設けられており、欄干パネル２６の底面と枠体３４の底面との間に所定の大きさの隙間が形成される。
【００２２】
本実施形態では、緩衝シート３９の肉厚部３９ａによって欄干パネル２６の底面と枠体３４との間に隙間を形成する例を挙げているが、ゴム部材などを枠体３４に一体に設けておくことで当該ゴム部材の厚みによって欄干パネル２６の底面と枠体３４との間に隙間を形成してもよい。また、樹脂部材で枠体３４を構成する場合には本実施形態における緩衝シート３９に相当する機能を有する部材を枠体３４と一体に形成するようにしてもよい。
【００２３】
また、欄干パネルの支持機構３０は、図２の部分拡大図に示すように、上述した欄干パネル２６と緩衝シート３９との間に挟み込まれる高さ調整部材５０を含む。この高さ調整部材５０は、図４（ａ）及び図４（ｂ）に示すように、例えば樹脂などによって形成され、長手方向Ｘに沿って厚みが変化する楔状の外形を有する本体５２を備える。
【００２４】
この本体５２は、先端が細くなるように底面が傾斜しており、上下方向Ｚにおける最大厚みｔ２の寸法が上述した緩衝シート３９における肉厚部３９ａの厚みｔ１の寸法よりも小さく構成されている。これにより、緩衝シート３９に重ならないように欄干パネル２６と枠体３４との隙間に高さ調整部材５０の本体５２を設置すれば欄干パネル２６の底面を押し上げることなく高さ調整部材５０を枠体３４内に収容できる。このため、欄干パネル２６の高さ調整が不要な場合であっても高さ調整部材５０を枠体３４から取り外す必要がないという利点がある。
【００２５】
また、本体５２の上面には、ゴムなどの弾性シート５４を貼り着けてもよい。これにより、欄干パネル２６の底面と本体５２が接触したときの接触面の摩擦抵抗が大きくなるので欄干パネル２６に接触した状態で本体５２が位置ずれして欄干パネル２６の上下方向位置が変化してしまうのを防止できる。
【００２６】
高さ調整部材５０は、本体５２に取手５６を設けるのが好ましい。この取手５６の全長は、枠体３４に設置した状態でその上端部５６ａが外部に突き出すとともに図２に示すように枠体３４から突き出した上端部５６ａを折り返したときに内側折り返し部３４ａからはみ出さない長さに設定される。また、取手５６は本体５２に接続する下端部が略Ｌ字状に折れ曲がっており、本体５２の中心位置よりも内側、すなわち走行路Ｒ側に沿って上方に延びるよう構成されている。これにより、枠体３４に欄干パネル２６を挿し込むのを取手５６が阻害しないようにしている。
【００２７】
そして、取手５６は、折り曲げ可能な、例えば、アルミなどの金属からなる薄板によって形成するのが好ましい。これにより、欄干パネル２６の高さを調整した後に高さ調整部材５０の上端部５６ａを折り曲げて枠体３４の内側折り返し部３４ａに沿わせてから樹脂製部材３６を被せるように枠体３４に取り付けることで外部に露出しないように隠蔽することができる。
【００２８】
本実施形態では、高さ調整部材５０は、図４（ａ）に示すように取手５６の取り付け位置に対して左側に突き出すとともに先端の厚みが徐々に薄くなるように本体５２が形成されており、図３（ｂ）に示す欄干パネル２６−１における左側下端部の角部に対応する高さ調整部材として使用することができる。一方、図４（ａ）に破線で示すように取手５６の取り付け位置に対して右側に突き出すように本体５２を形成することにより、図３（ｂ）に示す高さ調整部材１５０（後段にて詳述）のように欄干パネル２６−２における右側下端部の角部に対応する高さ調整部材として使用することができる。また、本体５２が取手５６の取付位置に対して左右両側に各々突き出して先端の厚みが徐々に薄くなるように形成することで、上記いずれの角部に対しても対応することが可能である。
【００２９】
続いて、図３（ａ）及び図３（ｂ）を用いて高さ調整部材５０による欄干パネル２６−１の上下方向位置の調整作業の手順について説明する。ここで、図３（ａ）は図２に示すＡ方向から見た枠体３４に欄干パネル２６を設置したときの状態を示す図であり、図３（ｂ）は同図（ａ）に示す領域Ｂにおける一部構成の図示を省略することにより高さ調整部材５０の設置状態を示す説明図である。
【００３０】
図３（ａ）に示すように、欄干パネル２６−１，２６−２は、ブラケット４０が取り付けられている位置で双方の端部同士が突き合わされるように設置される。この際、図３（ｂ）に示すように、隣接する欄干パネル２６−２における右側端部と欄干パネル２６−１における左側端部の双方を包み込むように緩衝シート３９を予め枠体３４内に設置する。そして、欄干パネル２６−１の左側端部に対応して高さ調整部材５０を設置し、欄干パネル２６−２の右側端部に対応して高さ調整部材１５０を設置する。高さ調整部材１５０は、取手１５６の取付位置に対して右側に突き出すように本体１５２が形成されている点で高さ調整部材５０と相違するが、その他の構成は高さ調整部材５０と実質的に同一である。
【００３１】
それから、欄干パネル２６−１，２６−２を各々設置して双方のパネル２６−１，２６−２の上端の間に段差Ｄが無いかどうかを確認する。段差Ｄがある場合には欄干パネル２６−１を少し持ち上げた状態で保持し、高さ調整部材５０を緩衝シート３９の方へ移動させて同シート３９に本体５２の先端部が重なった状態としてから欄干パネル２６−１を下ろす。この際、段差Ｄが大きければ緩衝シート３９に重ねる高さ調整部材５０の重ね代を大きく取り、段差Ｄが小さければ緩衝シート３９に重ねる重ね代を小さく取るようにする。また、欄干パネル２６−１の反対側の端部についても同程度の重ね代となるように上述した高さ調整部材１５０と同一構成を備える高さ調整部材を用いて調整を行う。それから、欄干パネル２６−１を枠体３４内に降ろして段差の有無を確認し、段差がまだある場合には再度同様の手順で欄干パネル２６−１の位置調整を行う。
【００３２】
上記手順に従って欄干パネル２６−１の欄干パネル２６−２に対する段差が解消した後、高さ調整部材５０における取手５６が枠体３４からはみ出している上端部５６ａを折り曲げて枠体３４の内側折り返し部３４ａに沿わせた上でテープなどを用いて同折り返し部３４ａに固定する。また、段差Ｄの大きさが十分に小さく高さ調整の必要が無い場合にも、同様に、高さ調整部材５０の取手５６を折り曲げて内側折り返し部３４ａに固定する。他の欄干パネル２６に各々対応して配置されている高さ調整部材についても各欄干パネル２６の高さ調整終了後に上端部を折り曲げて枠体３４の内側折り返し部３４ａに沿わせた状態でテープなどを用いて固定する。それから、枠体３４に樹脂製部材３６を取り付けることによって高さ調整部材５０の取手５６を隠蔽して一連の高さ調整作業が完了する。これにより、各欄干パネル２６の上端の段差が解消され、移動手摺２４を設置するためにガイドレール２５を欄干パネル２６の上端部に取り付けることが可能となる。
【００３３】
本実施形態のエスカレータ１０によれば、欄干パネル２６とパネル受部３２の緩衝シート３９との間に高さ調整部材５０が挿し込まれる長さを変更することで欄干パネル２６の上下方向位置を調節することができる。このため、欄干パネル２６の高さを調整する際に欄干パネル２６が傾かないように枠体３４の固定位置を調整する必要が無く設置作業の手間を軽減することができる。なお、上記実施形態では、乗客コンベアの一例として、エスカレータ１０を例に挙げて説明したが、動く歩道に本発明を適用してもよい。
【００３４】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００３５】
１０    エスカレータ（乗客コンベア）
２４，２４−１，２４−２    移動手摺
２５    ガイドレール
２６，２６−１，２６−２，２６−３    欄干パネル
３０    支持機構
３２    パネル受部
３４    枠体
３９    緩衝シート（隙間形成部材）
３９ａ    肉厚部
４０    ブラケット
５０，１５０    高さ調整部材
５２    本体
５４    弾性シート
５６    取手
Ｘ    長手方向
Ｙ    幅方向
Ｚ    上下方向
【図１】
2019142709.tif 000003
【図２】
2019142709.tif 000004
【図３】
2019142709.tif 000005
【図４】
2019142709.tif 000006